(57)【特許請求の範囲】
【請求項１】
伸縮力を有する素材により構成され主として人体の左右の腸骨の位置を矯正するための上段矯正部と、同様に伸縮力を有する素材により構成され主として股関節の位置を矯正するための下段矯正部とを具備する骨盤矯正用ベルトを付帯してなる骨盤矯正用ベルト付き下着であって、
前記骨盤矯正用ベルトが、当該骨盤矯正用ベルトを下着本体の内部に取り付けるための取付部を具備してなり、この取付部が、前記上段矯正部及び下段矯正部の下着本体に対する自由な伸縮動作を許容した状態で、下着本体の後身頃と脚股下部が縫合される略中央部にその下端部を挟み込まれ、下着本体の後身頃及び脚股下部とともに縫合されて、下着本体に取り付けられていることを特徴とする骨盤矯正用ベルト付き下着。
【請求項２】
上段矯正部が、左右の腸骨をそれぞれ被覆する位置にある左右一対の上段矯正部要素から構成されるとともに、下段矯正部が、左右の股関節をそれぞれ被覆する位置にある左右一対の下段矯正部要素から構成され、取付部が、主として人体の仙骨を覆う位置に設けてなり、前記左右の上段矯正部要素及び下段矯正部要素間に介在する仙骨被覆部であることを特徴とする請求項１記載の骨盤矯正用ベルト付き下着。
【請求項３】
仙骨被覆部が、主として人体の仙骨をサポートする仙骨サポート体を具備していることを特徴とする請求項２記載の骨盤矯正用ベルト付き下着。
【請求項４】
上段矯正部及び下段矯正部が、その巾方向両端部を自由端としており、これら自由端を係脱可能に止着する止着部を具備してなることを特徴とする請求項１、２又は３記載の骨盤矯正用ベルト付き下着。
【請求項５】
止着部が、面ファスナにより係合するものであることを特徴とする請求項４記載の骨盤矯正用ベルト付き下着。
【発明の詳細な説明】
【０００１】
【発明の属する技術分野】
本発明は、骨盤を矯正する際に好適に利用される骨盤矯正用ベルト付き下着に関するものである。
【０００２】
【従来の技術】
現代人は、文明の発達により歩く機会が減少する等して、大臀筋、中臀筋、腸腰筋、背筋等の起立姿勢を支持するための起立筋が弱体化してきており、その結果、身体の土台というべき骨盤が傾き、その上に乗っている背骨の歪みも招いている。このような骨盤の傾きや背骨の歪みは、腰痛を始めとする慢性的な病気の元となることが明らかになっている。そのため、現在、傾きを生じている骨盤を正しい位置に矯正するための骨盤矯正用ベルトが出回っている。
【０００３】
ところで、人体の骨盤は、左右の腸骨と、これら左右の腸骨の間に位置する仙骨と、左右の腸骨の下方に位置する股関節とを具備しており、通常、特に女性では、年齢が上がるにつれて左右の腸骨及び股関節が外側に向って開きがちになる。
【０００４】
そのため、従来の骨盤矯正用ベルトとしては、強力な伸縮力を有するゴム素材等により構成され主として人体の左右の腸骨の位置を矯正するための上段矯正部と、同様に強力な伸縮力を有するゴム素材等により構成され主として股関節の位置を矯正するための下段矯正部とを具備しているものがある。
【０００５】
【発明が解決しようとする課題】
しかしながら、前記上段矯正部及び下段矯正部は、止着部となる先端部を除いた全ての部分が比較的強力な伸縮力を有しているゴム素材等により構成されているため、例えば腸骨や股関節に比べてそれほど締め付ける必要が無い仙骨に当たる部分等も不必要に締め付けることとなっていた。
【０００６】
さらに、前述した骨盤矯正用ベルトは、ガードル等の下着とともに利用される場合があるが、その場合には、前記上段矯正部及び下段矯正部の略全体を直接ガードルに縫着していた。前述したように、前記上段矯正部及び下段矯正部には、外側に開きがちな前記腸骨及び股関節を適正な位置である内方に向かわせるための強力な伸縮力が必要となるが、ガードルにそのような強力な伸縮力を付与すると良好な装着感が損なわれることになる。そのため、通常、ガードルの伸縮力は、上段矯正部及び下段矯正部の伸縮力に比べて非常に弱く設定してある。しかしながら、前記上段矯正部及び下段矯正部をガードルに縫い付けてしまうと、両者が自身の適正な伸縮力を発揮できず、特に、骨盤矯正用ベルトに必要な締め付け効果が得られない恐れがあった。
【０００７】
【課題を解決するための手段】
上述した課題に鑑み、本発明は、伸縮力を有する素材により構成され主として人体の左右の腸骨の位置を矯正するための上段矯正部と、同様に伸縮力を有する素材により構成され主として股関節の位置を矯正するための下段矯正部とを具備する骨盤矯正用ベルトを付帯してなるものであって、前記骨盤矯正用ベルトが、当該骨盤矯正用ベルトを下着本体の内部に取り付けるための取付部を具備してなり、この取付部が、前記上段矯正部及び下段矯正部の下着本体に対する自由な伸縮動作を許容した状態で、下着本体の後身頃と脚股下部が縫合される略中央部にその下端部を挟み込まれ、下着本体の後身頃及び脚股下部とともに縫合されて、下着本体に取り付けられていることを特徴とする骨盤矯正用ベルト付き下着である。
【０００８】
このような構成のものであると、上段矯正部及び下段矯正部が、下着本体に対する自由な伸縮動作を許容した状態で取り付けられているので、例えば両者の伸縮力に差がある場合でも、前記上段矯正部及び下段矯正部は、下着本体の影響を受けずに矯正に必要な強い伸縮力で独自の伸縮動作を行い、必要な矯正機能を発揮することができる。具体的には、上段矯正部が、左右の腸骨に対して内方に向って矯正に必要な締め付け力を与えるとともに、下段矯正部が、左右の股関節に対して内方に向って矯正に必要な締め付け力を与えることにより、骨盤全体の傾きを正常な位置に補正することになる。さらに、前記骨盤矯正用ベルトが、下着本体の内部に取り付けられているので、例えば、当該ベルトを下着本体で完全に被覆するような形態を取れば、着用時の外観を美しいものとすることができる。
【０００９】
好適な実施の形態としては、上段矯正部が、左右の腸骨をそれぞれ被覆する位置にある左右一対の上段矯正部要素から構成されるとともに、下段矯正部が、左右の股関節をそれぞれ被覆する位置にある左右一対の下段矯正部要素から構成され、取付部が、主として人体の仙骨を覆う位置に設けてなり、前記左右の上段矯正部要素及び下段矯正部要素間に介在する仙骨被覆部であるものが挙げられる。
【００１０】
このような構成のものであると、締め付けが必要な左右の腸骨及び左右の股関節をそれぞれ確実に左右の上段矯正部要素及び下段矯正部要素で締め付けることができ、有効な矯正機能が期待できる。さらに、前記仙骨を覆う仙骨被覆部は、上段矯正部及び下段矯正部に比べて強力な伸縮力を必要としないため、上述したような構成であると、前記矯正部とは別の素材等により構成し、仙骨に必要な独自のサポート力を付与することが可能である。その上、仙骨は、身体の巾方向略中央に位置しているため、前記仙骨被覆部が、前記上段矯正部及び下段矯正部を下着本体に取り付けるための取付部として利用する際の位置設定等も行いやすいものである。
【００１１】
さらに、この場合には、仙骨被覆部が、主として人体の仙骨に当たる部分をサポートする仙骨サポート体を具備していることが望ましく、例えば、この仙骨サポート体を人体に有効なエネルギーを放出する遠赤外線放出セラミック等を利用して構成すれば、着用者の健康維持にさらに貢献することが可能である。
【００１２】
骨盤矯正用ベルトの位置合わせや着脱を容易なものとするには、上段矯正部及び下段矯正部が、その巾方向両端部を自由端としており、これら自由端を係脱可能に止着する止着部を具備してなることが望ましい。
【００１３】
この場合には、止着部が、面ファスナにより係合するものであることが望ましい。例えば、止着部が、カギホック式等であると、カギホックの凹凸が衣類の表面に浮き出て外観を損なうことになるが、面ファスナのような薄布状のものであると、衣類の表面に浮き出ず、着用者は外観を損なわずに骨盤矯正用ベルト付下着を着用する事が可能となる。
【００１４】
【発明の実施の形態】
以下、本発明の一実施の形態について図面を参照して説明する。
【００１５】
本実施の形態では、骨盤矯正用ベルト付下着が、ガードル１の場合を例に取って説明する。なお、ガードル１の具体的な説明を行う前に、図５を参照して、人体の骨盤の構造について簡単に説明する。人体の骨盤は、左右の腸骨４と、これら左右の腸骨４の間に位置する仙骨６と、左右の腸骨４の下方に位置する股関節５とを具備しており、通常、特に女性では、年齢が上がるにつれて左右の腸骨４及び股関節５が外側に向って開きがちになる。前記ガードル１は、前記腸骨４及び股関節５が外側に向って開くことにより引き起こされる骨盤の歪みを改善しようとするものである。
【００１６】
ガードル１は、図１及び図２に示すように、下着本体たるガードル本体２と、このガードル本体２の内部に取り付けた骨盤矯正用ベルト３とを具備している。なお、図１及び図２では、骨盤矯正用ベルト３を破線で示している。
【００１７】
以下、各部の具体的な構成について詳述する。
【００１８】
ガードル本体２は、身体を締め付けないソフトな布素材で構成されており、図１及び図２に示すように、腹部を被覆する前身頃２１と、臀部を被覆する後身頃２２と、脚及び股下を被覆する脚股下部２３とから構成されている。
【００１９】
骨盤矯正用ベルト３は、図１〜図６に示すように、左右の腸骨４の位置を矯正するための上段矯正部３１と、左右の股関節５の位置を矯正するための下段矯正部３２と、当該骨盤矯正用ベルト３をガードル本体２に取り付けるための取付部たる仙骨被覆部３３と、自由端となっている巾方向両端部たる左右端部３ａ、３ｂを着用時に下腹部の前方で止着するための止着部３４とを具備してなる。
【００２０】
そして、本実施の形態では、この骨盤矯正用ベルト３が、前記上段矯正部３１及び下段矯正部３２のガードル本体２に対する自由な伸縮動作を許容された状態で、仙骨被覆部３３を介して前記ガードル本体２に取り付けられている。なお、図３及び図４では、上段矯正部３１及び下段矯正部３２の位置を明確にするため、斜線を入れて示している。
【００２１】
上段矯正部３１は、着用時に左右の腸骨４を被覆し得る位置にある左右一対の上段矯正部要素３１１から構成されている。これら左右の上段矯正部要素３１１は、強力な伸縮力を有するゴム素材等で構成されている帯状のものである。そして、これら左右の上段矯正部要素３１１は、図３及び図４に示すように、その内方端３１１ｂ側を前記仙骨被覆部３３の上端部３３ａ側の外縁に、その外方端３１１ａ側を左右の止着部３４に縫着してある。
【００２２】
下段矯正部３２は、着用時に左右の股関節５を被覆し得る位置にある左右一対の下段矯正部要素３２１から構成されており、前記上段矯正部３１の下方に並列状態で位置している。これら左右の下段矯正部要素３２１も、前記上段矯正部要素３１１と同様、伸縮力を有するゴム素材等で構成されている帯状のものである。そして、これら下段矯正部要素３２１は、その内方端３２１ｂ側を前記仙骨被覆部３３の下端部３３ａ側の外縁に連結布３３５を介して縫着してあるとともに、その外方端３２１ａ側を左右の止着部３４に縫着してある。前記連結布３３５は、薄手で若干の伸縮力を有するストレッチ素材により構成されている。
【００２３】
仙骨被覆部３３は、前記左右の上段矯正部要素３１１と下段矯正部要素３２１の間に位置し、着用時、仙骨６を身体の背面側から被覆する正面視略台形状のものである。この仙骨被覆部３３は、図３及び図４に示すように、前記ガードル本体２の後身頃２２と脚股下部２３が縫合される略中央部にその下端部３３ａを挟み込まれ、前記後身頃２２及び脚股下部２３と共に縫合されて、ガードル本体２に取り付けられている。そして、この仙骨被覆部３３は、具体的には、薄手の布素材によりなる前布３３１と、この前布３３１の後方側に重ね合わせた厚手の布素材よりなる後布３３２と、これら前布３３１と後布３３２間に保持してなる仙骨６をサポートするための仙骨サポート体３３３とを具備している。前記前布３３１と後布３３２は、両布３３１、３３２間に前記仙骨サポート体３３３を保持するための空間が形成されるように、重合状態でその外周を逢着されている。仙骨サポート体３３３は、着脱可能なもので、正面視小判形でシリコン素材よりなる仙骨サポート体本体３３３aと、この仙骨サポート体本体３３３aに表面を露出した状態で埋め込まれた正面視円形状のセラミック体３３３bとを具備している。セラミック体３３３bは、人体に有効なエネルギーを放出する遠赤外線放出セラミック等の素材からなる。前記仙骨サポート体３３３は、前記前布３３１に設けた開口部３３４から挿入されて、前記両布３３１、３３２間に保持される。
【００２４】
止着部３４は、一般にマジックテープ（登録商標）等と称される面ファスナ３５を備えた布製のものであり、着用時、自由端である骨盤矯正用ベルト３の左右端部３ａ、３ｂを止着するものである。この止着部３４は、左右に対をなすものであり、左方側に位置する止着部３４の表面側に面ファスナ３５の雄部３５aを、右方側に位置する止着部３４の裏面側に面ファスナ３５の雌部３５bを具備してなる。そして、着用時には、これら面ファスナ３５の雄部３５ａと雌部３５ｂとを係り合わせることにより、前記骨盤矯正用ベルト３を適正な位置に保持するようにしている。なお、この止着部３４は、図５及び図６に示すように、着用時、重合状態で恥骨７周辺に位置する。
【００２５】
次に、上述したガードル１を装着する場合の手順について説明する。
【００２６】
着用者は、まず図７に示すように、前記ガードル本体２の脚股下部２３を着用して脚の上端部に一旦仮保持した状態で、前記骨盤矯正用ベルト３を装着する。前記骨盤矯正用ベルト３を装着する際には、図７に示すように、当該ベルト３を身体の背面側より腰に沿わすように当て、前記上段矯正部３１、下段矯正部３２及び仙骨被覆部３３の位置合わせを行いながら、その左右端部３ａ、３ｂを身体の前方に回す。具体的には、上段矯正部３１が、左右の腸骨４の腸骨稜を被覆する位置に、下段矯正部３２が、左右の股関節５を被覆する位置に、仙骨被覆部３３が、仙骨６を被覆する位置となるように位置合わせをする。このようにして、それぞれを正確な位置に合わせた後、着用者は、左右の腸骨４を内方に向わせるように前記上段矯正部３１により締め付け力を加えると共に、左右の股関節５を内方に向わせるように前記下段矯正部３２により締め付け力を加えながら、左右の止着部３４を身体の前面で面ファスナ３５により係止する。この時、前記止着部３４は、重合状態で下腹部の恥骨７周辺を押圧している。この恥骨７周辺には健康に良好なツボがあり、この位置で止着部３４を重合させることによりツボの指圧効果が期待される。また、本実施の形態では、図５及び図６に示すように、前記下段矯正部要素３２１の下縁が、着用時、身体前面側の脚と胴体の付け根付近を避けて位置するので、椅子に着座した際に前記付け根付近に骨盤矯正用ベルト３が重なり痛みを生じるという従来の大きな問題点を解消することができる。さらに、着用時、前記仙骨サポート体３３３は、前記上段矯正部３１の締め付け力を利用して、仙骨６をサポートし、結果的に、腸骨４と仙骨６の間に位置する仙腸関節の位置を調整するものである。なお、下段矯正部３２は、図６及び図８に示すように、臀部を下方から覆うように位置するため、その締め付け力により股関節の矯正だけでなく、ヒップアップ効果も期待されるものである。このようにして骨盤矯正用ベルト３を装着した後、前身頃２１及び後身頃２２により前記骨盤矯正用ベルト３を被覆するようにガードル本体２を装着する。
【００２７】
このような構成のものであると、上段矯正部３１及び下段矯正部３２が、ガードル本体２に対する自由な伸縮動作を許容した状態で取り付けられているので、本実施の形態のように、ガードル本体２と、上段矯正部３１及び下段矯正部３２との伸縮力に差があっても、前記上段矯正部３１及び下段矯正部３２は、ガードル本体２の影響を受けずに矯正に必要な強い伸縮力で独自の伸縮動作を行い、必要な矯正機能を発揮することができる。すなわち、左右の腸骨４及び股関節５に対して内方に向って矯正に必要な適正な締め付け力を与えて、骨盤全体の傾きを正常な位置に補正することができる。このように、骨盤全体の傾きが改善されると、背骨の歪みや全身の血流状態の改善も図られるため、着用者の健康増進に貢献することが可能である。また、骨盤矯正用ベルト３が、ガードル本体２の内部に取り付けられており、当該骨盤矯正用ベルト３をガードル本体２で完全に被覆するような形態をとるようにしているので、着用時の外観を美しいものとすることができる。
【００２８】
さらに、上段矯正部３１が、左右の腸骨４をそれぞれ被覆する位置にある左右一対の上段矯正部要素３１１から構成されるとともに、下段矯正部３２が、左右の股関節５をそれぞれ被覆する位置にある左右一対の下段矯正部要素３２１から構成されているので、締め付けが必要な左右の腸骨４及び左右の股関節５をそれぞれ確実に左右の上段矯正部要素３１１及び下段矯正部要素３２１で締め付けることができ、有効な矯正機能が期待できる。
【００２９】
さらに、前記仙骨６を覆う仙骨被覆部３３は、上段矯正部３１及び下段矯正部３２に比べて強力な伸縮力を必要としないため、本実施の形態のように、前記上段矯正部３１及び下段矯正部３２とは別の素材等により構成し、仙骨６に必要な独自のサポート力を付与することが可能である。その上、仙骨６は、身体の巾方向略中央に位置しているため、前記仙骨被覆部３３が、前記上段矯正部３１及び下段矯正部３２をガードル本体２に取り付けるための仙骨被覆部３３として利用する際の位置設定等も行いやすいものである。
【００３０】
仙骨被覆部３３が、主として人体の仙骨６に当たる部分をサポートする仙骨サポート体３３３を具備しており、本実施の形態では、特に前記仙骨サポート体３３３を人体に有効なエネルギーを放出する遠赤外線放出セラミック等を利用して構成しているので、着用者の健康維持にさらに貢献することが可能である。
【００３１】
また、骨盤矯正用ベルト３が、その巾方向両端部である左右端部３ａ、３ｂを自由端としており、これら左右端部３ａ、３ｂを係脱可能に止着する止着部３４を具備してなるので、着用者は止着部３４を腹部近辺で係脱可能であり、骨盤矯正用ベルトの位置合わせや着脱が容易である。
【００３２】
さらに、止着部３４が、面ファスナにより係合するものであるので、例えばカギホック式等の場合に比べて止着部の輪郭が衣類の表面に浮き出ず、着用者は外観を損なわずにガードル１を着用する事が可能となる。
【００３３】
なお、本発明における構成は、以上説明したものに限定されないのは勿論であり、本発明の趣旨を逸脱しない範囲で種々変形が可能である。
【００３４】
【発明の効果】
本発明は、以上説明したような構成で実施され以下に記載されるような効果を奏する。
【００３５】
すなわち、本発明は、前記骨盤矯正用ベルトが、当該骨盤矯正用ベルトを下着本体の内部に取り付けるための取付部を具備してなり、この取付部が、前記上段矯正部及び下段矯正部の下着本体に対する自由な伸縮動作を許容した状態で、下着本体の後身頃と脚股下部が縫合される略中央部にその下端部を挟み込まれ、下着本体の後身頃及び脚股下部とともに縫合されて、下着本体に取り付けられているので、前記上段矯正部及び下段矯正部は、下着本体の影響を受けずに矯正に必要な強い伸縮力で独自の伸縮動作を行い、適正な骨盤矯正機能を発揮することができる。
【００３６】
上段矯正部が、左右の腸骨をそれぞれ被覆する位置にある左右一対の上段矯正部要素から構成されるとともに、下段矯正部が、左右の股関節をそれぞれ被覆する位置にある左右一対の下段矯正部要素から構成され、取付部が、主として人体の仙骨を覆う位置に設けてなり、前記左右の上段矯正部要素及び上段矯正部要素間に介在する仙骨被覆部であるならば、締め付けが必要な左右の腸骨及び左右の股関節をそれぞれ確実に左右の上段矯正部要素及び下段矯正部要素で締め付けることができ、有効な矯正機能が期待できる。さらに、前記仙骨を覆う仙骨被覆部は、上段矯正部及び下段矯正部に比べて強力な伸縮力を必要としないため、上述したような構成であると、前記矯正部とは別の素材等により構成し、仙骨に必要な独自のサポート力を付与することが可能である。その上、仙骨は、身体の巾方向略中央に位置しているため、前記仙骨被覆部が、前記上段矯正部及び下段矯正部を下着本体に取り付けるための取付部として利用する際の位置設定等も行いやすいものである。
【００３７】
さらに、仙骨被覆部が、主として人体の仙骨に当たる部分をサポートする仙骨サポート体を具備しており、この仙骨サポート体を、例えば、人体に有効なエネルギーを放出する遠赤外線放出セラミック等を利用して構成すれば、着用者の健康維持に、さらに貢献することが可能となる。
【００３８】
上段矯正部及び下段矯正部が、その巾方向両端部を自由端としており、これら自由端を係脱可能に止着する止着部を具備してなるならば、骨盤矯正用ベルトの位置合わせや着脱が容易となる。
【００３９】
止着部が、面ファスナにより係合するものであるならば、止着部の輪郭が衣類の表面に浮き出ることがなく、着用者は外観を損なわずに骨盤矯正用ベルト付下着を着用する事が可能となる。
【図面の簡単な説明】
【図１】本発明の一実施の形態を示す前方斜視図。
【図２】同実施の形態を示す後方斜視図。
【図３】同骨盤矯正用ベルトを展開した状態を示す正面図。
【図４】同骨盤矯正用ベルトを展開した状態を示す背面図。
【図５】同着用状態を示す正面図。
【図６】同着用状態を示す側面図。
【図７】同着用時の手順を説明するための前方斜視図。
【図８】同着用時の手順を説明するための後方斜視図。
【符号の説明】
１…骨盤矯正用ベルト付き下着（ガードル）
２…下着本体（ガードル本体）
３…骨盤矯正用ベルト
３１…上段矯正部
３１１…上段矯正部要素
３２…下段矯正部
３２１…下段矯正部要素
３３…仙骨被覆部
３３３…仙骨サポート体
３４…止着部
３５…面ファスナ
４…腸骨
５…股関節
６…仙骨
【図１】
0003542566.tif 000002
【図２】
0003542566.tif 000003
【図３】
0003542566.tif 000004
【図４】
0003542566.tif 000005
【図５】
0003542566.tif 000006
【図６】
0003542566.tif 000007
【図７】
0003542566.tif 000008
【図８】
0003542566.tif 000009